(57)【要約】【課題】一般的なハブを用いてＩＰネットワークを構築するＩＰ電話システムにおいて、有効な省電力化を図る。【解決手段】ＩＰ電話端末のそれぞれは、省電力モードのときに、インターフェース手段を通じて電力モード切替パケットを受信したとき、キー操作検出手段でキー操作入力が検出されたとき、またはタイマー手段で、省電力モードになってから予め定められた所定時間の経過を検出したとき、のいずれかのときに、すべての部位に電力を供給する通常モードに移行する手段を備える。少なくとも、タイマー手段での検出に基づいて、通常モードに移行したときには、ＩＰ電話端末が接続されていることをＩＰ電話制御サーバに通知する。ＩＰ電話制御サーバ装置は、ＩＰネットワークを通じて受けた着信の宛先とされているＩＰ電話端末に、電力モード切替パケットを送った後、着信通知する。【選択図】図１
2005101921.tif 000002
【特許請求の範囲】
【請求項１】
ＩＰ（Ｉｎｔｅｒｎｅｔ  ｐｒｏｔｏｃｏｌ）ネットワークからなるローカルエリアネットワークに接続される複数個のＩＰ電話端末と、
前記ローカルエリアネットワークに接続され、呼に関連する制御系メッセージを授受し、通信を制御するためのＩＰ電話制御サーバ装置と、
を備えるＩＰ電話システムであって、
前記ＩＰ電話端末のそれぞれは、
少なくとも、前記ローカルエリアネットワークに接続するためのインターフェース手段と、キー操作入力を検出するキー操作検出手段と、時間経過を検出するためのタイマー手段とを除く、各部への電力を制限する省電力モードを備えると共に、
前記省電力モードのときに、前記インターフェース手段を通じて電力モード切替パケットを受信したとき、前記キー操作検出手段で前記キー操作入力が検出されたとき、または前記タイマー手段で、前記省電力モードになってから予め定められた所定時間の経過を検出したとき、のいずれかのときに、すべての部位に電力を供給する通常モードに移行する手段と、
少なくとも、前記タイマー手段で、前記省電力モードになってから予め定められた所定時間の経過を検出したときに通常モードに移行したときには、前記ＩＰ電話制御サーバ装置との間で通信を行なって、当該ＩＰ電話端末が前記ローカルエリアネットワークに接続されていることを前記ＩＰ電話制御サーバに通知する手段と
を備え、
前記ＩＰ電話制御サーバ装置は、
前記ＩＰネットワークを通じて着信を受け付けたときに、当該着信の宛先とされている前記ＩＰ電話端末に、前記電力モード切替パケットを、前記ローカルエリアネットワークを通じて送る手段を備える
ことを特徴とするＩＰ電話システム。
【請求項２】
ＩＰ（Ｉｎｔｅｒｎｅｔ  ｐｒｏｔｏｃｏｌ）ネットワークからなるローカルエリアネットワークに接続される複数個のＩＰ電話端末と、
前記ローカルエリアネットワークに接続され、呼に関連する制御系メッセージを授受し、通信を制御するためのＩＰ電話制御サーバ装置と、
を備えるＩＰ電話システムであって、
前記ＩＰ電話端末のそれぞれは、
少なくとも、前記ローカルエリアネットワークに接続するためのインターフェース手段と、キー操作入力を検出するキー操作検出手段とを除く、各部への電力を制限する省電力モードを備えると共に、
前記省電力モードのときに、前記インターフェース手段を通じて電力モード切替パケットを受信したとき、または前記キー操作検出手段で前記キー操作入力が検出されたとき、のいずれかのときに、すべての部位に電力を供給する通常モードに移行する手段を備え、
前記ＩＰ電話制御サーバ装置は、
時間を計測するためのタイマー手段と、
前記ＩＰネットワークを通じて着信を受け付けたときに、当該着信の宛先とされている前記ＩＰ電話端末に、前記電力モード切替パケットを、前記ローカルエリアネットワークを通じて送る手段と、
前記タイマー手段での時間計測結果に基づいて発信または着信が予め定められた所定時間以上なかったと判別された前記ＩＰ電話端末に対して、前記電力モード切替パケットを送る手段と、
を備えることを特徴とするＩＰ電話システム。
【請求項３】
ＩＰ（Ｉｎｔｅｒｎｅｔ  ｐｒｏｔｏｃｏｌ）ネットワークからなるローカルエリアネットワークに接続されるＩＰ電話端末であって、
少なくとも、前記ローカルエリアネットワークに接続するためのインターフェース手段と、キー操作入力を検出するキー操作検出手段と、時間経過を検出するためのタイマー手段とを除く、各部への電力を制限する省電力モードを備えると共に、
前記省電力モードのときに、前記インターフェース手段を通じて電力モード切替パケットを受信したとき、前記キー操作検出手段で前記キー操作入力が検出されたとき、または前記タイマー手段で、前記省電力モードになってから予め定められた所定時間の経過を検出したとき、のいずれかのときに、すべての部位に電力を供給する通常モードに移行する手段を備える
ことを特徴とするＩＰ電話端末。
【請求項４】
ＩＰ（Ｉｎｔｅｒｎｅｔ  ｐｒｏｔｏｃｏｌ）ネットワークからなるローカルエリアネットワークに接続されるＩＰ電話端末であって、
少なくとも、前記ローカルエリアネットワークに接続するためのインターフェース手段と、キー操作入力を検出するキー操作検出手段とを除く、各部への電力を制限する省電力モードを備えると共に、
前記省電力モードのときに、前記インターフェース手段を通じて電力モード切替パケットを受信したとき、または前記キー操作検出手段で前記キー操作入力が検出されたとき、のいずれかのときに、すべての部位に電力を供給する通常モードに移行する手段を備える
ことを特徴とするＩＰ電話端末。
【発明の詳細な説明】
【技術分野】
【０００１】
この発明は、インターネットやイントラネットのようなＩＰ（Ｉｎｔｅｒｎｅｔ  Ｐｒｏｔｏｃｏｌ）ネットワークを利用して音声信号を送る技術であるＶｏＩＰ（Ｖｏｉｃｅ  ｏｖｅｒ  Ｉｎｔｅｒｎｅｔ  Ｐｒｏｔｏｃｏｌ）を用いて電話通信を行なうようにするＩＰ電話システムおよびこのＩＰ電話システムに用いるＩＰ電話端末に関する。
【背景技術】
【０００２】
インターネットやイントラネットのようなＩＰネットワークを利用して音声信号を送る技術であるＶｏＩＰを用いて中継交換を行ない、電話通信サービスを行なうようにするＩＰ電話が提供されている。
【０００３】
このＩＰ電話においては、例えば特許文献１（特開２００３−３２３７９号公報）などに記載されているように、発信側と受信側とはそれぞれに割り当てられたＩＰアドレスを用いて、電話音声をＩＰパケットにより伝送することにより、通話が可能となるものであり、安価な通話料で通話が可能となるため、普及が拡大している。
【０００４】
上記の特許文献は、次の通りである。
【特許文献１】特開２００３−３２３７９号公報
【発明の開示】
【発明が解決しようとする課題】
【０００５】
ところで、ＩＰ電話では、ＬＡＮ（Ｌｏｃａｌ  Ａｒｅａ  Ｎｅｔｗｏｒｋ；ローカルエリアネットワーク）を通じて、パケット化された音声データをリアルタイムで伝送する必要があるため、制御用のＣＰＵ（Ｃｅｎｔｒａｌ  Ｐｒｏｃｅｓｓｉｎｇ  Ｕｎｉｔ）として、高速の能力が高いものが必要になると共に、イーサネット（登録商標）などの高速のＬＡＮ用のＬＳＩ（Ｌａｒｇｅ−Ｓｃａｌｅ  Ｉｎｔｅｇｒａｔｉｏｎ）を必要とする。
【０００６】
上述の高速のＣＰＵや、ＬＡＮ用のＬＳＩは、消費電力が大きい。このため、ＩＰ電話端末における消費電力は、従来のボタン電話システムのボタン電話端末に比べて、２〜３倍になってしまい、通信を行なっていない待機時にも大量の電力を消費してしまうという問題がある。
【０００７】
ボタン電話システムにおいては、ボタン電話端末の未使用時には主装置から各ボタン電話端末への電力の供給を中止したり（例えば特開平９−１３９７８２号公報参照）、主装置からボタン電話端末への供給電圧を、待機状態と通信中状態とで切り替えたり（特開２００１−１６３６８公報参照）するものが提案されている。そこで、これらの技術をＩＰ電話システムに対しても適用することが考えられる。
【０００８】
例えば、パワー・オーバー・イーサネット（登録商標）技術により、ＩＰ電話制御サーバ装置からＩＰ電話端末に電力を供給するＩＰ電話システムの場合には、ＩＰ電話制御サーバ装置からのＩＰ電話端末への電力供給を停止することが可能であるので、前者の技術を、このＩＰ電話システムにも適用することが考えられる。
【０００９】
この場合のＩＰ電話システムにおいては、着信の場合には、特定のＩＰ電話端末には、ＩＰ電話制御サーバ装置から電力供給を開始して起動し、呼出音を鳴動させることは可能である。しかし、ＩＰ電話端末の待機状態では、当該ＩＰ電話端末に電力が供給されていないので、発信ができないという問題がある。
【００１０】
また、後者の技術をＩＰ電話システムに適用することも考えられるが、その場合には、ＩＰ電話制御サーバ装置とＩＰ電話端末とを直接接続したり、ＳＮＭＰ（Ｓｉｍｐｌｅ  Ｎｅｔｗｏｒｋ  Ｍａｎａｇｅｍｅｎｔ  Ｐｒｏｔｏｃｏｌ）等で遠隔給電制御可能なスイッチングハブを使用したりする必要があり、一般のスイッチングハブを用いてＬＡＮを構築することができないという問題がある。
【００１１】
この発明は、以上の点にかんがみ、給電制御機能を持ったＩＰ電話制御サーバ装置や、遠隔給電制御可能なハブを用いずに、一般的なハブを用いてＩＰネットワークを構築するＩＰ電話システムにおいて、有効な省電力化を図ることができるようにすることを目的とする。
【課題を解決するための手段】
【００１２】
上記の課題を解決するために、請求項１の発明は、
ＩＰネットワークからなるローカルエリアネットワークに接続される複数個のＩＰ電話端末と、
前記ローカルエリアネットワークに接続され、呼に関連する制御系メッセージを授受し、通信を制御するためのＩＰ電話制御サーバ装置と、
を備えるＩＰ電話システムであって、
前記ＩＰ電話端末のそれぞれは、
少なくとも、前記ローカルエリアネットワークに接続するためのインターフェース手段と、キー操作入力を検出するキー操作検出手段と、時間経過を検出するためのタイマー手段とを除く、各部への電力を制限する省電力モードを備えると共に、
前記省電力モードのときに、前記インターフェース手段を通じて電力モード切替パケットを受信したとき、前記キー操作検出手段で前記キー操作入力が検出されたとき、または前記タイマー手段で、前記省電力モードになってから予め定められた所定時間の経過を検出したとき、のいずれかのときに、すべての部位に電力を供給する通常モードに移行する手段と、
少なくとも、前記タイマー手段で、前記省電力モードになってから予め定められた所定時間の経過を検出したときに通常モードに移行したときには、前記ＩＰ電話制御サーバ装置との間で通信を行なって、当該ＩＰ電話端末が前記ローカルエリアネットワークに接続されていることを前記ＩＰ電話制御サーバに通知する手段と
を備え、
前記ＩＰ電話制御サーバ装置は、
前記ＩＰネットワークを通じて着信を受け付けたときに、当該着信の宛先とされている前記ＩＰ電話端末に、前記電力モード切替パケットを、前記ローカルエリアネットワークを通じて送る手段を備える
ことを特徴とする。
【００１３】
上述の構成の請求項１の発明においては、高速のＣＰＵなどの部分への電力の供給を制限する省電力モードを備え、待機状態では、この省電力モードとすることにより、ＩＰ電話端末の電力消費を削減することができる。
【００１４】
そして、ＩＰ電話端末では、省電力モードにおいて、キー操作入力があると通常モードに移行するので、オフフックなどの発信のためのキー入力操作に基づき、発信が可能となる。また、着信時には、ＩＰ電話制御サーバ装置から電力モード切換パケットが送られてくるので、この電力モード切換パケットをインターフェース手段を通じて受信して通常モードに移行し、着信を受けることができる。
【００１５】
ところで、省電力モードが長時間に亘って継続した場合に、ＩＰ電話制御サーバ装置は、ローカルエリアネットワークに当該ＩＰ電話端末が接続されているかどうかが不明になってしまう。しかし、請求項１の発明においては、ＩＰ電話端末は、タイマー手段で、省電力モードになってから予め定められた所定時間の経過を検出したときには通常モードに移行して、ＩＰ電話制御サーバ装置と通信を行ない、ＩＰ電話制御サーバ装置に対して、自己のＩＰ電話端末が接続中を知らせるようにするので、ＩＰ電話制御サーバ装置は、各ＩＰ電話端末の接続状態を常に管理することができる。
【００１６】
また、請求項２の発明は、
ＩＰネットワークからなるローカルエリアネットワークに接続される複数個のＩＰ電話端末と、
前記ローカルエリアネットワークに接続され、呼に関連する制御系メッセージを授受し、通信を制御するためのＩＰ電話制御サーバ装置と、
を備えるＩＰ電話システムであって、
前記ＩＰ電話端末のそれぞれは、
少なくとも、前記ローカルエリアネットワークに接続するためのインターフェース手段と、キー操作入力を検出するキー操作検出手段とを除く、各部への電力を制限する省電力モードを備えると共に、
前記省電力モードのときに、前記インターフェース手段を通じて電力モード切替パケットを受信したとき、または前記キー操作検出手段で前記キー操作入力が検出されたとき、のいずれかのときに、すべての部位に電力を供給する通常モードに移行する手段を備え、
前記ＩＰ電話制御サーバ装置は、
時間を計測するためのタイマー手段と、
前記ＩＰネットワークを通じて着信を受け付けたときに、当該着信の宛先とされている前記ＩＰ電話端末に、前記電力モード切替パケットを、前記ローカルエリアネットワークを通じて送る手段と、
前記タイマー手段での時間計測結果に基づいて発信または着信が予め定められた所定時間以上なかったと判別された前記ＩＰ電話端末に対して、前記電力モード切替パケットを送る手段と、
を備えることを特徴とする。
【００１７】
この請求項２の発明においても、請求項１の場合と同様に、ＩＰ電話端末は、待機状態では、省電力モードとすることにより、ＩＰ電話端末の電力消費を削減することができると共に、発信および着信が可能となる。
【００１８】
また、この請求項２の発明においては、ＩＰ電話制御サーバ装置がタイマー手段を備え、このタイマー手段での時間計測結果に基づいて、発信または着信が予め定められた所定時間以上なかったと判別された前記ＩＰ電話端末に対しては、電力モード切替パケットを送って、当該ＩＰ電話端末を通常モードに移行させて通信を行ない、当該ＩＰ電話端末がローカルエリアネットワークに接続されているかどうかを確認する。
【発明の効果】
【００１９】
この発明によれば、給電制御機能を持ったＩＰ電話制御サーバ装置や遠隔給電制御可能なハブを用いずに、一般的なハブを用いて構成したＩＰ電話システムにおいて、待機状態におけるＩＰ電話端末の電力の消費電力を削減することができると共に、待機状態からの発信、待機状態での着信が確実にできるという効果がある。
【００２０】
さらに、この発明によれば、発信や着信が予め所定時間以上ないときには、ＩＰ電話端末は通常モードに移行して、ＩＰ電話制御サーバ装置と、ＩＰ電話端末との間で通信を行なって、ＩＰ電話端末がローカルエリアネットワークに接続されていることを確認するようにしたので、省電力モードの状態が長くなって、ＩＰ電話端末がローカルエリアネットワークに接続されているどうかが不明となってしまうような事態を防止することができる。
【発明を実施するための最良の形態】
【００２１】
以下、この発明によるＩＰ電話システムおよびＩＰ電話端末の実施形態を、図を参照しながら説明する。
【００２２】
［第１の実施形態］
図２は、この第１の実施形態におけるＩＰ電話システムの全体の概要を示すブロック図である。この例のＩＰ電話システムは、ＩＰ電話制御サーバ装置１１と、ＩＰ電話端末１２の複数個と、ＩＰゲートウエイ１３と、スイッチングハブ１４とによって構成される。
【００２３】
ＩＰ電話端末１２は、マイクロコンピュータから構成される処理制御部の機能を備えると共に、ハンドセット１２Ｈを備えている。そして、複数個のＩＰ電話端末１２のそれぞれは、スイッチングハブ１４に接続されることにより、ＩＰネットワークを構成するＬＡＮ１５に接続され、このＬＡＮ１５を通じてＩＰ電話制御サーバ装置１１に接続されている。
【００２４】
ＩＰゲートウエイ１３は、複数回線分の電話回線１６を介して、電話網１７と接続されると共に、スイッチングハブ１４に接続されることにより、ＬＡＮ１５に接続される。電話回線１６は、例えばＩＳＤＮ（Ｉｎｔｅｇｒａｔｅｄ  Ｓｅｒｖｉｃｅｓ  Ｄｉｇｉｔａｌ  Ｎｅｔｗｏｒｋ）回線、専用回線などを含む。
【００２５】
このゲートウエイ１３は、電話網１７とＩＰネットワーク１５とを接続するための機能を備え、連続音声信号とＩＰ音声パケットの相互変換を行なう。
【００２６】
ＩＰ電話制御サーバ装置１１は、ＩＰ電話システムにおいて、電話番号とＩＰアドレスの対応付けや、発信時、着信時の呼制御を行なうものであり、いわばボタン電話システムの主装置に対応するものである。このＩＰ電話制御サーバ装置１１は、例えばパーソナルコンピュータで構成される。複数のＩＰ電話端末１２のそれぞれは、ＬＡＮ１５に接続されたときに、このＩＰ電話制御サーバ装置１１に登録される。すなわち、ＬＡＮ１５に接続されたＩＰ電話端末１２のそれぞれのＩＰアドレスおよびＭＡＣ（Ｍｅｄｉａ  Ａｃｃｅｓｓ  Ｃｏｎｒｏｌ）アドレスは、ＩＰ電話制御サーバ装置１１に記憶される。また、各ＩＰ電話端末１２には、ＩＰ電話制御サーバ装置１１のＩＰアドレスが記憶される。
【００２７】
このＩＰ電話制御サーバ装置１１は、ＩＰ電話システム内のゲートウエイ１３や複数の電話端末１２の交換管理、帯域幅の割り当て、電話番号とＩＰアドレスの対応付けなどを行ない、これに登録された複数個のＩＰ電話端末による複数の電話回線１６を利用した電話通信や、複数個のＩＰ電話端末間の内線電話通信を管理する機能を有する交換管理装置の役割を果たす。
【００２８】
［ＩＰ電話制御サーバ装置１１のハードウエア構成例］
この実施形態のＩＰ電話制御サーバ装置１１は、図３に示すようなハードウエア構成を備える。すなわち、ＩＰ電話制御サーバ装置１１は、システムバス１００に対して、図示を省略したＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）およびＲＡＭ（Ｒａｎｄｏｍ Ａｃｃｅｓｓ Ｍｅｍｏｒｙ）とを備えて構成される制御部１０１と、ＬＡＮインターフェース（図ではインターフェースはＩ／Ｆと記載する。以下同じ）１０２と、ネットワーク管理メモリ１０３とが接続されて構成されている。
【００２９】
ネットワーク管理メモリ１０３には、ＬＡＮ１５に接続されたＩＰ電話端末１２のＬＡＮ上のアドレス（ＩＰアドレスおよびＭＡＣアドレス）および当該ＩＰアドレスとＩＰ電話端末１２の電話番号との対応などが格納されている。
【００３０】
ＩＰ電話制御サーバ装置１１の制御部１０１は、着信時や発信時、さらに終話時の、呼制御のためのソフトウエアを備えている。
【００３１】
例えば、ＬＡＮ１５に接続されている他のＩＰ電話端末からの着信や、ゲートウエイ１３を通じた着信があったときには、それがどのＩＰ電話端末１２宛ての着信であるかを判別し、判別した着信ＩＰ電話端末１２のＩＰアドレスをネットワーク管理メモリ１０３から認識して、当該着信を、前記判別した着信ＩＰ電話端末１２に転送する。そして、着信を受けたＩＰ電話端末１２が応答したときには、着信端末と発信側との通話路を形成させるようにする制御を行なう。
【００３２】
また、いずれかのＩＰ電話端末１２から発信があったときには、ＩＰ電話制御サーバ装置１１の制御部１０１は、その発信の宛先を判別し、当該発信の宛先がＬＡＮ１５内の他のＩＰ電話端末１２であると判別したときには、そのＩＰ電話端末１２に着信させ、また、当該発信の宛先がＬＡＮ１５の外の相手であると判別したときには、ＩＰゲートウエイ１３に当該発信を転送し、このＩＰゲートウエイ１３から電話回線１６および電話網１７を通じて相手に着信させるようにする。
【００３３】
また、ＩＰ電話制御サーバ装置１１の制御部１０１は、ＬＡＮ１５に接続されているＩＰ電話端末１２が通話中である状態において、終話要求が発せられたときには、当該通話を終話させるための制御を行なう。
【００３４】
また、この実施形態では、ＩＰ電話制御サーバ装置１１の制御部１０１は、ＩＰ電話端末１２から送られてくるＬＡＮ１５に接続中であることを示す情報を受信して、それぞれのＩＰ電話端末１２が、前記登録後にＬＡＮ１５から接続を解除されることなく、接続状態を維持しているかどうかの確認をするようにしている。このＩＰ電話端末１２の接続中状態の確認のための情報は、ネットワーク管理メモリ１０３に格納される。
【００３５】
さらに、この実施形態は、後述するように、省電力モードになっているＩＰ電話端末１２に着信を受信させるためには、当該省電力モードのＩＰ電話端末１２を通常時モードに復帰させる必要があるが、この実施形態では、当該省電力モードのＩＰ電話端末１２を通常時モードに復帰させるために方式として、ＷＯＬ（Ｗａｋｅ  ｏｎ  ＬＡＮ）を用いる。すなわち、この実施形態では、ＩＰ電話制御サーバ装置１１の制御部１０１は、省電力モードのＩＰ電話端末１２に対して、当該ＩＰ電話端末１２を通常時モードに復帰させる電力モード切替パケットを供給する機能を備える。
【００３６】
この電力モード切替パケットとしては、電力モードを切り替えることを指示する情報と、切り替える端末の識別情報とを含むものが用いられ、例えば、この例では、６個のＦＦｈに続けて、ＭＡＣ（Ｍｅｄｉａ  Ａｃｃｅｓｓ  Ｃｏｎｔｒｏｌ）アドレスが１６回繰り返されるマジックパケットを用いる。
【００３７】
そして、この実施形態では、ＩＰ電話端末１２宛ての着信があったときには、ＩＰ電話制御サーバ装置１１は、この着信の通知に先立ち、電力モード切替パケットを、当該着信ＩＰ電話端末１２に送って、省電力モードであるＩＰ電話端末１２を通常時モードに復帰させるようにする。なお、通常時モードであるＩＰ電話端末１２が、当該電力モード切替パケットを受信したときには、当該電力モード切替パケットは無視される。
【００３８】
［電話端末１２のハードウエア構成例］
図１は、この実施形態のＩＰ電話システムにおけるＩＰ電話端末１２のハードウエア構成例を示すものである。この実施形態の電話端末１２は、端末本体１２ＭＢと、ハンドセット１２Ｈとからなる。
【００３９】
端末本体１２ＭＢは、この実施形態では、商用交流電源を用いる電源部２２０を備え、電力モードとして、電源部２２０からの電源電圧がすべての部位に供給されてすべて動作可能状態となる通常時モードと、電源部２２０からの電源電圧が必要最小限の部位のみにしか供給されない省電力モードとを備える。ハンドセット１２Ｈは、図示を省略したが、送話器を構成するマイクロホンと、送話アンプと、受話器を構成するスピーカと、受話アンプとを備えている。
【００４０】
そして、端末本体１２ＭＢは、コンピュータを搭載して構成されており、システムバス２００に対して、ＣＰＵ、ＲＯＭおよびＲＡＭを備える制御部２０１と、ＬＡＮインターフェース２０２と、操作入力インターフェース２０３と、タイマー部２０４と、ディスプレイコントローラ２０５と、コーデック部２０６と、Ｉ／Ｏポート２０７が接続されている。
【００４１】
また、省電力モード時と通常時モード時とでリレー接点２２２を切り替えて、電源部２２０からの電源電圧の各部への供給を制御するためのリレードライブ回路２２１と、リレー接点２２２を通常時モード時（リレー接点オン状態）に切り替える信号をリレードライブ回路２２１に供給するためのオア回路２２３とを備える。
【００４２】
ＬＡＮインターフェース２０２は、スイッチングハブ１４に接続されている。ＬＡＮインターフェース２０２は、ＬＡＮ１５を通じて送られてくるパケット化データを取り込んで受信バッファに順次に蓄積し、また、送信バッファに蓄積されている音声データの送信パケットを、ＬＡＮ１５の空きを確認しながら、ＬＡＮ１５に順次に送出する機能を備える。
【００４３】
制御部２０１は、ＬＡＮインターフェース２０２により取り込まれ、受信バッファから読み出されたパケット化データを分解して、制御データや音声データを得る機能（ソフトウエア）と、送信する制御データや所定時間分毎の音声データをパケット化したパケット化データを生成し、送信バッファに転送する機能（ソフトウエア）を有する。
【００４４】
なお、このパケット分解処理機能や生成処理機能は、ＤＳＰ（Ｄｉｇｉｔａｌ  Ｓｉｇｎａｌ  Ｐｒｏｃｅｓｓｏｒ）により構成することもできる。
【００４５】
また、この実施形態では、ＬＡＮインターフェース２０２は、ＬＡＮ１５を通じてマジックパケットを受信したか否かを検出する機能を備えており、マジックパケットを受信したときには、「１」に立ち上がる検出信号ＳＬを出力する。この検出信号ＳＬは、オア回路２２３を通じてリレードライブ回路２２１に供給されている。
【００４６】
操作入力インターフェース２０３には、テンキー、ファンクションキー、カーソルキー、置き台からのハンドセット１２Ｈの上げ下げに応じてオン・オフするフックスイッチ、その他の操作キーを含む操作入力部２０８が接続されている。制御部２０１は、操作入力インターフェース２０３を介して操作入力部２０８を通じて使用者がいずれの入力キーを操作したかを認識し、その認識結果に基づいて、キー入力操作に応じた処理を実行する。
【００４７】
また、この実施形態では、操作入力インターフェース２０３は、いずれかのキー（フックスイッチを含む）が操作されたときに、「１」に立ち上がる操作検出信号ＳＵを出力する。この操作検出信号ＳＵは、オア回路２２３を通じてリレードライブ回路２２１に供給されている。
【００４８】
タイマー部２０４は、この例では、現在時刻の情報を発生すると共に、種々のタイマー時間の計測を行なう。タイマー部２０４は、この例では、ＩＰ電話端末１２において、着信や発信が無い状態および操作入力部２０８を通じたユーザからの操作入力が無い状態の継続時間（以下、無入力継続時間という）を計測する機能（以下、無入力継続時間タイマーという）を備える。
【００４９】
制御部２０１は、後述するように、タイマー部２０４で計測された無入力継続時間を監視し、無入力継続時間が、予め定めた所定時間Ｔａ以上経過したかどうか判別し、前記所定時間Ｔａ以上経過したと判別したときには、このＩＰ電話端末１２を、後述するように、通常時モードから省電力モードに切り替えるように制御する。
【００５０】
また、タイマー部２０４は、端末本体１２ＭＢが省電力モードである状態を継続している時間（以下、省電力モード継続時間という）を計測する機能（以下、省電力モード継続時間タイマーという）を備える。この実施形態においては、タイマー部２０４は、省電力モード継続時間が予め定められた所定時間Ｔｂ以上になったときに、例えば「１」に立ち上がるタイムアップ検出信号ＳＴを出力する。このタイムアップ検出信号ＳＴは、オア回路２２３を通じてリレードライブ回路２２１に供給されている。
【００５１】
省電力モード継続時間の計測は、省電力モードの状態が、あまりにも長いと、ＩＰ電話制御サーバ装置１１で、ＩＰ電話端末１２がＬＡＮ１５に接続されているかどうかが不確かになるため、省電力モードを継続しているときであっても、所定時間Ｔｂ毎に、ＩＰ電話端末１２を通常時モードに移行させ、ＩＰ電話制御サーバ装置１１にアクセスさせて、当該ＩＰ電話端末１２がＬＡＮ１５に接続されていることを通知するために行なう。したがって、所定時間Ｔｂは、省電力モードに切り替えるための無入力継続時間の閾値Ｔａよりは長く、かつ、ＩＰ電話制御サーバ装置１１で、ＩＰ電話端末１２がＬＡＮ１５に接続されているかどうかが不確かにならない程度の時間に設定される。
【００５２】
ディスプレイコントローラ２０５には、ディスプレイ２０９が接続されており、このディスプレイ２０９の表示画面には、制御部２０１の制御にしたがった表示が行われる。この例では、ディスプレイ２０９としてＬＣＤ（Ｌｉｑｕｉｄ  Ｃｒｙｓｔａｌ  Ｄｉｓｐｌａｙ）が用いられており、表示画面を明るくするためのバックライト２１０が設けられている。
【００５３】
コーデック部２０６は、パケット分解されて得られた音声データをアナログ音声信号に変換してハンドセット２Ｈに供給し、また、ハンドセット２Ｈから入力されるアナログ音声信号をデジタル信号に変換して取り込む機能を備える。
【００５４】
Ｉ／Ｏポート２０７は、制御部２０１により、前述のタイマー部２０４で計測された無入力継続時間が所定時間Ｔａ以上となったことを検知したときに、省電力モードに切り替えるための電力モード切替信号を出力するためのポートである。この電力モード切替信号は、Ｉ／Ｏポート２０７を通じてリレードライブ回路２２１に供給されている。
【００５５】
この実施形態のＩＰ電話端末１２は、前述したように、電力モードとして、通常時モードと省電力モードとを備える。そして、前述したリレードライブ回路２２１およびリレー接点２２２は、通常時モードと省電力モードとを切り替えるための切替回路を構成する。
【００５６】
リレー接点２２２は、通常時モードでは、オンとされ、電源部２２０からの電源電圧が、本体端末１２ＭＢ内のすべての部位に供給されてすべて動作可能状態となる。また、省電力モードでは、リレー接点２２２はオフとされ、この例においては、制御部２０１と、コーデック部２０６と、バックライト２１０とには電源電圧は供給されず、電力消費が削減される。
【００５７】
前述したように、この実施形態では、通常モード時においては、着信や発信が無い状態および操作入力部２０８を通じたユーザからの操作入力が無い状態の継続時間である無入力継続時間がタイマー部２０４で計測され、制御部２０１は、当該無入力継続時間が予め定められた時間以上経過したことを検知すると、Ｉ／Ｏポート２０７を通じて電力モード切替信号をリレードライブ回路２２１に供給する。
【００５８】
すると、リレードライブ回路２２１は、オン状態であったリレー接点２２２をオフ状態に切り替える。これにより、本体端末１２ＭＢは、省電力モードに移行する。なお、操作入力部２０８に、省電力モードキーを設け、この省電力モードキーが操作されたときには、制御部２０１は、無入力継続時間が前記所定時間Ｔａ以上経過していないときにも、通常時モードから省電力モードに移行させるように、Ｉ／Ｏポート２０７を通じて電力モード切替信号をリレードライブ回路２２１に供給するようにしても良い。
【００５９】
そして、端末本体１２ＭＢでは、省電力モードにおいて、次の３通りの事象のいずれかが発生すると、端末本体１２ＭＢは、省電力モードから通常時モードに復帰する。
【００６０】
（１）ＬＡＮインターフェース２０２で、ＩＰ電話制御サーバ装置１１からＬＡＮ１５を通じて、電力モード切替パケットとしてのマジックパケットを受け取ったとき。  
このときには、ＬＡＮインターフェース２０２は、前述したように「１」に立ち上がる検出信号ＳＬを出力するので、この検出信号ＳＬがオア回路２２３を通じてリレードライブ回路２２１に供給される。リレードライブ回路２２１は、この検出信号ＳＬに応じて、リレー接点２２２をオンに戻す。これにより、端末本体１２ＭＢは、省電力モードから通常時モードに復帰する。
【００６１】
（２）操作入力部２０８を通じて、何等かのキー操作（オフフック操作を含む）がなされたとき。  
このときには、操作入力インターフェース２０３は、前述したように「１」に立ち上がる操作検出信号ＳＵを出力するので、この操作検出信号ＳＵがオア回路２２３を通じてリレードライブ回路２２１に供給される。リレードライブ回路２２１は、この操作検出信号ＳＵに応じて、リレー接点２２２をオンに戻す。これにより、端末本体１２ＭＢは、省電力モードから通常時モードに復帰する。
【００６２】
（３）タイマー部２０４の省電力モード計測時間タイマーが所定時間Ｔｂ以上になったことを検出したとき。  
このときには、タイマー部２０４は、前述したように「１」に立ち上がる検出信号ＳＴを出力するので、この検出信号ＳＴがオア回路２２３を通じてリレードライブ回路２２１に供給される。リレードライブ回路２２１は、この検出信号ＳＴに応じて、リレー接点２２２をオンに戻す。これにより、端末本体１２ＭＢは、省電力モードから通常時モードに復帰する。
【００６３】
図４は、当該通常時モードに復帰したときのＩＰ電話端末１２の端末本体１２ＭＢにおける処理動作を説明するためのフローチャートである。
【００６４】
すなわち、制御部２０１は、通常時モードに復帰にすると、先ず、ＩＰ電話制御サーバ装置１１にアクセスし、自端末がＬＡＮに接続中であることを通知するための通信を行なう（ステップＳ１）。前述したように、ＩＰ電話制御サーバ装置１１のＩＰアドレスは、予め、ＩＰ電話端末１２のそれぞれの制御部２０１に内蔵するメモリに記憶されている。
【００６５】
次に、制御部２０１は、無入力継続時間タイマーをリセットして、初期値から当該無入力継続時間タイマーをスタートさせる（ステップＳ２）。
【００６６】
そして、制御部２０１は、着信があったか否か判別し（ステップＳ３）着信があったと判別したときには、無入力継続時間タイマーでの時間計測を停止し（ステップＳ４）、着信処理ルーチンを実行する（ステップＳ５）。
【００６７】
そして、制御部２０１は、当該着信に基づく通信が終了するのを待ち（ステップＳ６）、通信が終了したと判別したときには、ステップＳ２に戻り、無入力継続時間タイマーをリセットして、初期値からスタートさせる。このとき、ステップＳ５では、着信を通知する鳴動を行ない、ステップＳ６では、その着信に応答した場合には、通話の終了を待つ。また、着信に応答しない場合は、ステップＳ６では、相手切断による通信終了を待つ。
【００６８】
ステップＳ３で、着信は無いと判別したときには、制御部２０１は、発信操作などの操作入力を検出したか否か判別し（ステップＳ７）、操作入力を検出したと判別したときには、無入力継続時間タイマーでの時間計測を停止し（ステップＳ８）、操作入力が何であるかを識別する（ステップＳ９）。そして、制御部２０１は、識別した操作入力に応じた処理を実行する（ステップＳ１０）。
【００６９】
そして、当該操作入力に応じた処理の終了を待って（ステップＳ１１）、ステップＳ２に戻り、無入力継続時間タイマーをリセットして、初期値からスタートさせる。ステップＳ１０での処理が発信処理である場合には、ステップＳ１１では、当該発信処理により通話がなされたときには、その終話まで待つ。
【００７０】
また、ステップＳ７で、操作入力が検出されなかったと判別したときには、制御部２０１は、無入力継続時間タイマーの計測時間（無入力継続時間）を参照し、前記所定時間Ｔａを超えていないかどうか判別する（ステップＳ１２）。無入力継続時間が前記所定時間Ｔａを超えたと判別したときには、制御部２０１は、Ｉ／Ｏポート２０７から電力モード切替信号を出力し、リレー接点２２２をオフにして、端末本体１２ＭＢを省電力モードに切り替える（ステップＳ１３）。以上で、この処理ルーチンを終了する。
【００７１】
以上のように、通常時モードに復帰すると、先ず、端末本体１２ＭＢは、ＩＰ電話制御サーバ装置１１に対して、自端末がＬＡＮに接続中であることを通知するための通信を行なう。したがって、省電力モード時に、発信や着信がなく、また、ユーザからの操作入力もないときには、タイマー部２０４での省電力継続時間タイマーでの計測結果に基づいて、時間Ｔｂごとに端末本体１２ＭＢは、自端末がＬＡＮに接続中であることを通知するための通信を行なう。
【００７２】
このため、この実施形態では、省電力モードが長時間に亘って、継続するような状況のときであっても、一定時間ＴｂごとにＩＰ電話制御サーバ装置１１には、自端末が接続されているかどうかの通知をするので、ＩＰ電話制御サーバ装置１１は、当該ＩＰ電話端末１２がＬＡＮ１５に接続されているかどうか、確実に知ることが可能である。
【００７３】
なお、上述の例では、通常時モードに切り替わったときには、端末本体１２ＭＢは、常にＩＰ電話制御サーバ装置１１に、自端末がＬＡＮ１５に接続されていることを通知するための通信を行なうようにした。しかし、省電力モードから通常モードへの復帰が、ＩＰ電話制御サーバ装置１１からの電力モード切替パケットによるものであるときには、ＩＰ電話制御サーバ装置１１は、当該電力モード切替パケットを供給した後に、着信通知のパケットをＩＰ電話端末１２に送るので、ＬＡＮ１５にＩＰ電話端末１２が接続されていれば、当該着信に対する何等かのメッセージがＩＰ電話端末１２からＩＰ電話制御サーバ装置１１に返ってくる。
【００７４】
したがって、当該ＩＰ電話端末１２からの着信に対する応答により、ＩＰ電話制御サーバ装置１１は、ＩＰ電話端末がＬＡＮ１５に接続されているかどうかを知ることができる。よって、省電力モードから通常モードへの復帰が、ＩＰ電話制御サーバ装置１１からの電力モード切替パケットによるものであるときには、ＩＰ電話端末１２は、ＬＡＮ１５に接続されていることを通知するためのＩＰ電話制御サーバ装置１１へのアクセスを省略しても良い。
【００７５】
また、この実施形態では、ＩＰ電話制御サーバ装置１１は、各ＩＰ電話端末１２の電力モードが、省電力モードの状態か、通常時モードの状態かは管理していない。このため、ＩＰ電話端末１２への着信時には、ＩＰ電話制御サーバ装置１１は、先ず、電力モード切替パケットを着信ＩＰ電話端末１２に送り、その後、着信通知をするようにする。
【００７６】
しかし、例えば各ＩＰ電話端末１２から省電力モードに移行する際に、ＩＰ電話制御サーバ装置１１に通知するなどすることにより、ＩＰ電話制御サーバ装置１１が、ＬＡＮ１５に接続されているすべてのＩＰ電話端末１２のそれぞれについての電力モードを管理するようにすることもできる。その場合には、ＩＰ電話制御サーバ装置１１は、着信ＩＰ電話端末が省電力モードになっているときにのみ、着信通知に先立ち、電力モード切替パケットを、当該着信ＩＰ電話端末１２に送るようにすることができる。
【００７７】
なお、省電力モードから通常時モードに復帰させるためには、ＬＡＮインターフェース２０２、操作入力インターフェース２０３および操作入力部２０８、タイマー部２０４に電源が投入されていれば良い。したがって、図１の例において、ディスプレイコントローラ２０５およびディスプレイ２０９にも、省電力モードにおいては電源電圧を供給しないようにしてもよい。
【００７８】
［第２の実施形態］
上述の第１の実施形態では、ＩＰ電話制御サーバ装置１１に対して、ＬＡＮ１５を通じてＩＰ電話端末１２のそれぞれが接続されているかどうかは、ＩＰ電話端末１２のそれぞれから、ＩＰ電話制御サーバ装置１１にアクセスして通知するようにした。
【００７９】
これに対して、この第２の実施形態は、ＩＰ電話制御サーバ装置１１側からＩＰ電話端末１２のそれぞれに対してＬＡＮ１５を通じて接続されているかどうかの問合せをするようにする。
【００８０】
この第２の実施形態においては、ハードウエア構成は、第１の実施形態とほぼ同様に構成することができる。ただし、ＩＰ電話端末１２の端末本体１２ＭＢにおいては、タイマー部２０４に対する電源電圧は、常時、供給するように構成する必要はなく、省電力モードの時には、供給しないように構成して、消費電力を第１の実施形態よりもさらに削減することができる。
【００８１】
この第２の実施形態におけるＩＰ電話制御サーバ装置１１からのＩＰ電話端末１２への接続状態の確認のための通信の方法としては、次のような幾つかの方法が可能である。
【００８２】
［第１の例］
第１の例においては、ＩＰ電話制御サーバ装置１１は、すべてのＩＰ電話端末１２に対して共通の１個のタイマー部を備え、当該タイマー部で、予め定めた時間Ｔｃを計測し、当該時間Ｔｃごとに、すべてのＩＰ電話端末１２に対して、ＬＡＮ１５を通じて接続されているかどうかの問合せをするようにする。そして、ＩＰ電話制御サーバ装置１１は、この問合せに対する応答があれば、当該ＩＰ電話端末１２は、接続されていると判断し、応答がなければ、接続されていないと判断するようにする。
【００８３】
［第２の例］
第２の例においては、第１の例と同様に、共通の１個のタイマー部を用いて予め定めた時間Ｔｃごとに、ＩＰ電話端末１２に対して、ＬＡＮ１５を通じて接続されているかどうかの問合せをするようにするのであるが、時間Ｔｃの間に、発信や着信があったＩＰ電話端末に対しては、当該問合せを不要とするものである。時間Ｔｃの間に、発信や着信があったＩＰ電話端末１２は、少なくとも、時間Ｔｃ以内であれば、接続が確認されているからである。
【００８４】
［第３の例］
第３の例においては、ＩＰ電話制御サーバ装置１１は、当該ＩＰ電話制御サーバ装置１１に登録されたＩＰ電話端末１２のそれぞれについて、タイマー部を設け、各ＩＰ電話端末１２ごとに、ＬＡＮ１５を通じて接続されているかどうかの問合せのタイミングを管理するようにする。
【００８５】
すなわち、この例においては、ＩＰ電話制御サーバ装置１１は、各ＩＰ電話端末１２毎のタイマー部は、対応するＩＰ電話装置１２に対する着信や発信があったときに、時間計測を停止させ、終話などの通信終了を確認したときに、当該タイマー部をリセットして再スタートさせるようにする。
【００８６】
この第３の例によれば、きめ細かくＩＰ電話端末１２の接続確認をすることができる。
【００８７】
［変形例］
上述の実施形態においては、通常モードと省電力モードとを切り替える手段としては、リレーを用いたが、トランジスタやＦＥＴ等の半導体スイッチング素子を用いるようにしてもよい。
【図面の簡単な説明】
【００８８】
【図１】この発明によるＩＰ電話システムの実施形態の外洋を示す図である。
【図２】この発明によるＩＰ電話システムの実施形態におけるＩＰ電話制御サーバ装置の一例のブロック図である。
【図３】この発明によるＩＰ電話システムの実施形態におけるＩＰ電話端末の一例のブロック図である。
【図４】この発明によるＩＰ電話システムの実施形態におけるＩＰ電話端末の一例の処理動作を説明するための図である。
【符号の説明】
【００８９】
１１  ＩＰ電話制御サーバ装置
１２  ＩＰ電話端末
１３  ゲートウエイ
１４  スイッチングハブ
１５  ＬＡＮ
【図１】
2005101921.tif 000003
【図２】
2005101921.tif 000004
【図３】
2005101921.tif 000005
【図４】
2005101921.tif 000006